(57)【要約】【課題】  作業者が危険な運搬作業を行うことなく、水槽から排出した塵芥を塵芥収集車等の運搬車輌が進入できる場所まで搬送することができ、据え付け場所の地形等にとらわれることなく低コストで設置することができる水力発電設備の塵芥搬送装置を提供することを課題とする。【解決手段】  発電機を駆動すべく、給水源からの水を貯留する水槽が高所に設置された水力発電設備の塵芥搬送装置であって、水槽から排出された塵芥が投入される投入ホッパーと、塵芥を排出させる排出部と、投入ホッパーから投入された塵芥を排出部まで導くべく、投入ホッパー及び排出部を接続したフレキシブル管と、給水源又は水槽の水を投入ホッパー側からフレキシブル管内に供給する水供給手段とを備え、フレキシブル管は、全長に亘って水供給手段によって供給された水が排出部に向けて流れる水勾配を有して配設されてなる。【選択図】  図１
2006183375.tif 000002
【特許請求の範囲】
【請求項１】
水の落下によって発電機を駆動すべく、給水源からの水を貯留する水槽が高所に設置された水力発電設備の塵芥搬送装置であって、高所に設置され、水槽から排出された塵芥が投入される投入ホッパーと、低所における所定位置に設置され、塵芥を排出させる排出部と、投入ホッパーから投入された塵芥を排出部まで導くべく、前記投入ホッパー及び排出部を接続したフレキシブル管と、前記給水源又は水槽の水を投入ホッパー側からフレキシブル管内に供給する水供給手段とを備え、前記フレキシブル管は、全長に亘って水供給手段によって供給された水が排出部に向けて流れる水勾配を有して配設されてなることを特徴とする水力発電設備の塵芥搬送装置。
【請求項２】
前記水供給手段は、水槽の水を汲み上げる水中ポンプと、水中ポンプによって汲み上げた水を投入ホッパー内に供給する給水部とを備えてなる請求項１記載の水力発電設備の塵芥搬送装置。
【請求項３】
前記排出部には、排出口を開閉する開閉扉が設けられ、該開閉扉は、排出口を閉じた状態で水のみを流通させる水切メッシュを備えてなる請求項１又は２記載の水力発電設備の塵芥搬送装置。
【発明の詳細な説明】
【技術分野】
【０００１】
本発明は、水の落下によって発電機を駆動すべく、給水源からの水を貯留する水槽が高所に設置された水力発電設備の塵芥搬送装置に関する。
【背景技術】
【０００２】
水力発電設備には、図６及び図７に示す如く、ダムや、貯水池、河川等の給水源Ｄの水を高所に設置した水槽Ｃに貯留し、その水Ｗを配管（水圧鉄管）Ｐ１を介して落下させ、その水Ｗの落下（水圧）によって下方に設けられた発電機Ｇを駆動することで発電するように構成されたものがある。
【０００３】
ところで、ダム等の給水源Ｄの水Ｗを前記水槽Ｃに貯留するに際し、給水源Ｄに落ちた小枝や葉等の塵芥が水槽Ｃ内に入り込むことがあり、このように水槽Ｃに入った塵芥をそのまま放置すると、当該塵芥が水圧鉄管Ｐ１に流れ込んで該水圧鉄管Ｐ１を詰まらせたり、発電機Ｇに流れ込んで発電機Ｇを損傷させたりして発電に支障をきたすため、かかる水力発電設備には、水槽Ｃに入り込んだ塵芥を排出する排出装置１００が設けられている。
【０００４】
かかる排出装置１００は、図８に示す如く、流れ込んできた塵芥が下流側（水圧鉄管Ｐ１側）に流れるのを防止すべく水槽Ｃ内に配置されたスクリーン１０１と、該スクリーン１０１に引っ掛かった塵芥を掻き上げる掻上装置１０２と、該掻上装置１０２によって掻き上げられた塵芥を外部に搬送する搬送コンベア１０３と、前記搬送コンベア１０３によって搬送されてきた塵芥を所定のサイズに破砕する破砕装置１０４とを備えている。
【発明の開示】
【発明が解決しようとする課題】
【０００５】
ところで、前記水槽Ｃや排出装置１００は、塵芥収集車等の運搬車輌が近づくことができない場所に設置されているのが通常であり、排出装置１００によって水槽Ｃから排出された塵芥（破砕装置１０４で破砕された塵芥）は、台車やゴンドラ等を用いて運搬車輌が進入できる場所（例えば、発電機Ｇの設置された低地）まで運搬されているのが実情である。
【０００６】
そのため、台車で運搬するに際し、例えば、台車を急傾斜面上を走行させなければならなかったり、悪路上を走行させたりしなければならず、かかる作業は、作業者にとって極めて危険で且つ重労働なものである。
【０００７】
また、このような場所にレール等の据え付けに精度が要求されるゴンドラ等を設置するには多大な費用を要し、容易に設備を増設することが困難である。
【０００８】
そこで、本発明は、斯かる実情に鑑み、作業者が危険な運搬作業を行うことなく、水槽から排出した塵芥を塵芥収集車等の運搬車輌が進入できる場所まで搬送することができ、据え付け場所の地形等にとらわれることなく低コストで設置することができる水力発電設備の塵芥搬送装置を提供することを課題とする。
【課題を解決するための手段】
【０００９】
本発明に係る水力発電設備の塵芥搬送装置は、水の落下によって発電機を駆動すべく、給水源からの水を貯留する水槽が高所に設置された水力発電設備の塵芥搬送装置であって、高所に設置され、水槽から排出された塵芥が投入される投入ホッパーと、低所における所定位置に設置され、塵芥を排出させる排出部と、投入ホッパーから投入された塵芥を排出部まで導くべく、前記投入ホッパー及び排出部を接続したフレキシブル管と、前記給水源又は水槽の水を投入ホッパー側からフレキシブル管内に供給する水供給手段とを備え、前記フレキシブル管は、全長に亘って水供給手段によって供給された水が排出部に向けて流れる水勾配を有して配設されてなることを特徴とする。なお、給水源とは、水槽に対して水を供給できるところをいい、ダムや、調整池、河川等は勿論のこと、これらと水槽とを接続して該水槽に水を供給する導水管（トンネル）等を含む概念である。
【００１０】
上記水力発電設備の塵芥搬送装置によれば、高所に設置され、水槽から排出された塵芥が投入される投入ホッパーと、低所における所定位置に設置され、塵芥を排出させる排出部と、投入ホッパーから投入された塵芥を排出部まで導くべく、前記投入ホッパー及び排出部を接続したフレキシブル管と、前記給水源又は水槽の水を投入ホッパー側からフレキシブル管内に供給する水供給手段とを備え、前記フレキシブル管は、全長に亘って水供給手段によって供給された水が排出部に向けて流れる水勾配を有して配設されているので、投入ホッパーから投入された塵芥は、フレキシブル管内を流れる水の流れにのって低所に設置された排出部まで搬送されることになる。つまり、フレキシブル管は、供給された水が流れる水勾配を有して配設されているので、水供給手段から供給された水は、フレキシブル管内に留まることなく下方に向けて流れることになり、この水の存在が投入ホッパーに投入された塵芥が下方に向けて流れる際の抵抗を小さくすると同時に、水の流れで塵芥を搬送することができる。
【００１１】
また、該塵芥搬送装置によれば、投入ホッパーと排出部とをフレキシブル管で接続しているので、地形に応じて容易に設置することができ、水供給手段から供給された水が流れる水勾配さえ確保すれば、山肌やのり面等に沿わせて設置するだけでも塵芥を排出部まで搬送することができる。
【００１２】
また、本発明の一態様として、前記水供給手段は、水槽の水を汲み上げる水中ポンプと、水中ポンプによって汲み上げた水を投入ホッパー内に供給する給水部とを備えていることが好ましい。このように水中ポンプで水を汲み上げるようにすれば、水槽内の水面及びその近傍で浮遊する塵芥を吸い込むことなく水を汲み上げることができる。また、給水部は、汲み上げた水を投入ホッパー内に供給するようになっているので、投入ホッパー内にも水が流れる部分ができ、投入された塵芥をフレキシブル管内に円滑に進入させることができる。
【００１３】
さらに、本発明の他態様として、前記排出部には、排出口を開閉する開閉扉が設けられ、該開閉扉は、排出口を閉じた状態で水のみを流通させる水切メッシュを備えていることが好ましい。このようにすれば、開閉扉を閉じた状態で水のみを排出して水切りを行うことができる。従って、開閉扉を開いたときには、水切りされた塵芥が排出されることになる。
【発明の効果】
【００１４】
以上のように、本発明の水力発電設備の塵芥搬送装置によれば、作業者が危険な運搬作業を行うことなく、水槽から排出した塵芥を塵芥収集車等の運搬車輌が進入できる場所まで搬送することができ、据え付け場所の地形等にとらわれることなく低コストで設置することができるという優れた効果を奏し得る。
【発明を実施するための最良の形態】
【００１５】
以下、本発明の一実施形態に係る水力発電設備の塵芥搬送装置について、添付図面を参照しつつ説明する。なお、本実施形態に係る塵芥搬送装置は、水力発電設備に採用されるものであるので、該塵芥搬送装置の説明に先立って、水力発電設備について概略説明する。
【００１６】
かかる水力発電設備は、図１及び図２に示す如く、高所に設置されてダムや貯水池、河川等の給水源（本実施形態においてはダム）Ｄからの水Ｗを貯留する水槽Ｃと、該水槽Ｃから流出される水Ｗを流通させる配管（水圧鉄管）Ｐ１と、低地に設置されて前記水圧鉄管Ｐ１を介して落下してくる水Ｗによって駆動される発電機Ｇとを備えており、水槽Ｃと発電機Ｇとの間での水Ｗの有効落差、及び水Ｗの流量によって理論出力（発電量）が決定されている。
【００１７】
前記水槽Ｃは、給水源Ｄからの導水管Ｐ２が上流側に接続されると共に、前記水圧鉄管Ｐ１が下流側に接続されている。そのため、該水力発電設備は、給水源Ｄから水Ｗと共に流れ込んだ小枝や落ち葉等の塵芥が水圧鉄管Ｐ１に流れ込むのを防止すべく、該塵芥を水槽Ｃから排出する排出装置１００を備えている。
【００１８】
該排出装置１００は、一連の工程で水槽Ｃからの塵芥の取り出しから破砕処理までを行えるようになっている。即ち、排出装置１００は、図３に示す如く、水槽Ｃの流出口近傍（水圧鉄管Ｐ１との接続口近傍）に設けられたスクリーン１０１と、該スクリーン１０１に引っ掛かった塵芥を掻き上げる掻上装置１０２と、該掻上装置１０２で掻き上げられた塵芥を外部に搬送する搬送コンベア１０３と、該搬送コンベア１０３で搬送されてくる塵芥を破砕する破砕装置１０４とを備えている。
【００１９】
前記スクリーン１０１は、所定サイズに設定された複数の開口を形成したメッシュや、所定間隔を有して複数の棒材が配設されたもの等が採用され、前記開口又は棒材間を水Ｗが流通する一方で、開口或いは前記間隔よりも大きな塵芥がメッシュや棒材に引っ掛かり、水圧鉄管Ｐ１側に塵芥が流れ込むのを防止できるようになっている。
【００２０】
前記掻上装置１０２は、スクリーン１０１に引っ掛かった塵芥を掻き上げる爪やバケット等の掻上手段（図示しない）を備えており、該掻上手段は、無端ベルト、或いは無端チェーン等の回転体（図示しない）に対して回転方向において所定間隔を有して取り付けられている。これにより、掻上装置１０２は、駆動モータ等で回転体を回転させることで、前記掻上手段が塵芥を掻き上げてスクリーン１０１から塵芥を取り除けるようになっている。
【００２１】
前記搬送コンベア１０３には、ベルトコンベアやスクリューコンベア等を採用することができ、本実施形態においてはベルトコンベアが採用されている。該搬送コンベア１０３は、掻上装置１０２によってスクリーン１０１から取り除かれた塵芥を水槽Ｃ内から外部に搬送できるようにレイアウトされている。
【００２２】
前記破砕装置１０４には、剪断式や衝撃式等の種々のタイプものを採用することができ、本実施形態においては、剪断式破砕装置が採用されており、塵芥に対して剪断力を与えて破砕する複数の回転カッター１０５と、破砕された塵芥を所定サイズで排出するための粒度調整スクリーン１０６とを備えている。なお、破砕装置１０４は、回転駆動する主軸に対して揺動自在に複数のハンマーが連結されしたもの、即ち、主軸を回転させることでハンマーに生じる遠心力により、塵芥に衝撃力を与えて破砕するようにした衝撃式破砕装置であってもよい。また、本実施形態において粒度調整スクリーン１０６を設けているが、破砕だけで塵芥を所望する粒度（所定粒度）にできる場合には、必ずしも粒度調整スクリーン１０６を設ける必要はない。
【００２３】
以上の構成が従来の水力発電設備と共通した構成であるが、本実施形態においては、図２に示す如く、前記排出装置１００から排出された塵芥を、塵芥収集車等の運搬車輌Ｖが入ってくることのできる低地（低所）にまで搬送する塵芥搬送装置１を備えている。
【００２４】
かかる塵芥搬送装置１は、排出装置１００から排出された（水槽Ｃから排出された）塵芥Ｒが投入される投入ホッパー２と、低所における所定位置に設置され、塵芥Ｒを排出させる排出部４と、投入ホッパー２から投入された塵芥Ｒを排出部４まで導くべく、前記投入ホッパー２及び排出部４を接続したフレキシブル管３と、前記水槽Ｃの水を投入ホッパー２側からフレキシブル管３内に供給する水供給手段５とを備えている。
【００２５】
前記投入ホッパー２は、図３に示す如く、水槽Ｃ及び排出装置１００と同様に高所に設置されている。即ち、排出された塵芥を容易に投入できるように、排出装置１００における塵芥の排出領域（本実施形態においては破砕装置１０４）の近傍に設置されている。
【００２６】
該投入ホッパー２は、投入した塵芥が接続されたフレキシブル管３に入るように進入口２０が形成されている。
【００２７】
前記フレキシブル管３は、図１及び図２に示す如く、折り曲げ自在な管であり、開口を進入口２０に連通させた状態で一端が投入ホッパー２に接続され（図３参照）、他端開口が発電機Ｇ等の設置された低地に設けられた作業台Ｔａ上に位置するように設置されている。これにより、該フレキシブル管３は、一端が高所側に位置する一方で、他端が低地側に位置して傾斜した態様で配設されている。即ち、該フレキシブル管３は、水供給手段５によって供給される水Ｗが流れることのできる水勾配を有して配設されている。本実施形態に係るフレキシブル管３は、上述の如く、折り曲げ自在であるので、水槽Ｃの設置された高所から発電機Ｇ等の設置された低所まで、その間の地形に沿わせて配設されている。
【００２８】
前記排出部４は、低地における所定位置に設置されており、その場所でフレキシブル管３を介して搬送されてきた塵芥Ｒを排出できるようになっている。具体的には、該排出部４は、図４に示す如く、フレキシブル管３の他端開口部に連設され、低所の所定位置としての作業台Ｔａ上に位置している。これにより、搬送されてきた塵芥Ｒを前記作業台Ｔａ上に排出できるようになっている。該排出部４は、フレキシブル管３の他端部に嵌着された枠状のフレーム４０と、該フレーム４０に枢着され、フレーム４０の開口（排出口）を開閉する開閉扉４１とを備えている。
【００２９】
前記フレーム４０は、塵芥Ｒの排出口となる前記開口がフレキシブル管３の他端開口と連通するように設けられている。
【００３０】
前記開閉扉４１は、上述の如くフレーム４０に枢着されて排出口を開閉可能に構成されており、排出口を閉じた状態で塵芥Ｒの排出を停止する一方で、排出口を開けた状態で塵芥Ｒを排出できるようになっている。該開閉扉４１について具体的に説明すると、該開閉扉４１は、枠状に形成された扉本体４２と、該扉本体４２の開口領域に配設された水切メッシュ４３とで構成されており、前記扉本体４２がフレーム４０に枢着されている。これにより、開閉扉４１を閉じた状態で、塵芥Ｒに含まれる（付着した）水Ｗや水供給手段５から供給された水Ｗのみを水切メッシュ４３を介して排出し、塵芥Ｒのみを内部に滞留させ、塵芥Ｒに対する水切りを行えるようになっている。
【００３１】
前記水供給手段５は、図３に示す如く、給水源Ｄ又は水槽Ｃの水Ｗをフレキシブル管３に供給できるようになっており、本実施形態においては、水槽Ｃの水Ｗを投入ホッパー２側からフレキシブル管３に供給できるように構成されている。
【００３２】
該水供給手段５について具体的に説明すると、該水供給手段５は、水槽Ｃの水Ｗを汲み上げて送り出すポンプ５０と、投入ホッパー２側からフレキシブル管３に向けて水Ｗを給水する給水部５１と、前記ポンプ５０と給水部５１とを流体的に接続する配管５２とで構成されている。
【００３３】
本実施形態にかかるポンプ５０には、水中ポンプが採用されており、水槽Ｃ内の水面或いは水面近傍で浮遊する浮遊物（塵芥等）を吸い込まないように考慮されている。なお、図において水中ポンプ５０をスクリーン１０１の上流側に設けているが、水中で浮遊する浮遊物を水中ポンプ５０が吸い込むのを極力防止するには、当該水中ポンプ５０は、前記スクリーン１０１の下流側に設けることが好ましい。
【００３４】
そして、前記給水部５１は、投入ホッパー２の投入口２１近傍に設けられており、前記水中ポンプ５０によって吸い上げられた水Ｗを投入ホッパー２内に吐出できるようにノズル５３が設けられている。即ち、ノズル５３は、投入ホッパー２を介してフレキシブル管３に水Ｗを供給することができるように、投入ホッパー２の投入口２１近傍に設けられている。なお、前記水中ポンプ５０と給水部５１とを接続する配管５２には、鉄管やフレキシブルホース等の種々のタイプのものを採用することができる。
【００３５】
本実施形態に係る水力発電設備及びこれに採用される塵芥搬送装置１は以上の構成からなり、次に、水力発電設備の水槽Ｃに流れ込んだ塵芥Ｒについての排出及び搬送について説明する。
【００３６】
まず、給水源Ｄから水槽Ｃに流れ込んだ塵芥Ｒは、水槽Ｃ内の水Ｗの流れに乗って水槽Ｃ内の下流側（水圧鉄管Ｐ１側）に流れることになる。そうすると、スクリーン１０１の目よりも大きな塵芥Ｒは、スクリーン１０１（メッシュ又は棒材）に引っ掛かり、水圧鉄管Ｐ１に流れ込むことが阻止される。この状態を放置すると、スクリーン１０１に目詰まりが発生するので、掻上装置１０２が定期的に作動し、スクリーン１０１に引っ掛かった塵芥Ｒが掻き上げられて（除去されて）スクリーン１０１での水Ｗの流通が確保される。そして、掻上装置１０２によって除去された塵芥Ｒは、搬送コンベア１０３を介して破砕装置１０４に送られ、当該破砕装置１０４で所定サイズ（粒度調整スクリーン１０６の目に対応したサイズ）に破砕されて排出されることになる。
【００３７】
次に、破砕装置１０４から排出された塵芥Ｒを、塵芥搬送装置１によって低地に搬送することになる。この際、図５（イ）に示す如く、予め排出部４の開閉扉４１を閉じた状態にして水供給手段５を作動させ、水槽Ｃの水Ｗをフレキシブル管３に供給しておく。即ち、塵芥Ｒを投入する前に、水Ｗが滞留することのない勾配で設置されたフレキシブル管３に対して水Ｗを供給しておくことで、フレキシブル管３の最上流（投入ホッパー２）と最下流の排出部４との間に水Ｗの流れを作っておく。この状態において、上述の如く、下流の開閉扉４１は閉じられているが、当該開閉扉４１には水切メッシュ４３が設けられているので、供給された水Ｗは水切メッシュ４３の目を介して排出されることになり、フレキシブル管３内に滞留することはない。なお、水供給手段５による水Ｗの供給は、塵芥Ｒの投入が完了するまで連続的に行われようになっている。
【００３８】
そして、図５（ロ）に示す如く、作業者が手作業によって、投入ホッパー２から水Ｗの流れができたフレキシブル管３に塵芥Ｒを投入すると、当該塵芥Ｒはフレキシブル管３内の流水Ｗに乗って排出部４まで搬送される。つまり、通常塵芥Ｒが滑り落ちる安息角以下の勾配でフレキシブル管３が設置されていても、フレキシブル管３内には略一定の水流が存在するため、フレキシブル管３の内面と塵芥Ｒとの抵抗が極めて小さくなった状態で、その水流によって塵芥Ｒが流されることになり、最下流の排出部４（低地における所定位置）にまで円滑に搬送されることになる。
【００３９】
そして、一定量の塵芥Ｒを投入すると、図５（ハ）に示す如く、投入ホッパー２への塵芥Ｒの投入及び水供給手段５による水Ｗの供給を停止する。そうすると、上述の如く、開閉扉４１が閉じられているので、最下流まで搬送された塵芥Ｒは、排出部４で一時的に滞留し、塵芥Ｒを搬送するのに活用された水Ｗが開閉扉４１の水切メッシュ４３を介して排出されることになり、排出部４内の塵芥Ｒの水切りが行われる。なお、このように水切りをしたり、上述の如く、連続的に水Ｗを供給したりすると、当該水Ｗは、排出部４の開閉扉４１（水切メッシュ４３）を介して作業台Ｔａ上に落下するが、該作業台Ｔａ上には、落下した水Ｗを該作業台Ｔａを設置した設置面上に設けた排水溝に誘導できる溝（図示しない）が設けられており、作業台Ｔａ上が水浸しになることが防止されている。即ち、作業台Ｔａは、水切りされた塵芥Ｒが排出されるに際し、当該塵芥Ｒが再度濡れてしまうのを防止できるように構成されている。
【００４０】
その後、図５（ニ）に示す如く、開閉扉４１を開くと、排出部４内に滞留していた塵芥Ｒが、水切りされた状態で作業台Ｔａに排出されることになる。そして、作業台Ｔａ上で必要に応じて塵芥Ｒの分別を行った後に、当該塵芥Ｒを塵芥収集車又はトラック等の運搬車輌Ｖ（図においては塵芥収集車）に載せて処分場等に運搬されることになる（図４参照）。
【００４１】
そして、破砕装置１０４から排出された塵芥Ｒが高所に残っている場合には、上記工程と同様に、再度水供給手段５によって予め水Ｗを供給すると共に、開閉扉４１を閉じた状態にして塵芥Ｒを投入すればよい。
【００４２】
以上のように、本実施形態に係る塵芥搬送装置１は、水槽Ｃから排出された塵芥Ｒが投入される投入ホッパー２と、該投入ホッパー２に一端が接続されたフレキシブル管３と、該フレキシブル管３の他端に接続され、塵芥Ｒを排出する排出部４と、前記水槽Ｃの水Ｗを前記フレキシブル管３内に供給する水供給手段５とを備え、前記フレキシブル管３は、供給された水Ｗが流れる水勾配を有して配設されているので、投入ホッパー２から投入された塵芥Ｒは、フレキシブル管３内を流れる水Ｗの流れにのって排出部４まで搬送されることになる。つまり、フレキシブル管３は、供給された水Ｗが流れる勾配を有して配設されているので、水供給手段５から供給された水Ｗは、フレキシブル管３内に留まることなく下方に向けて流れることになり、この水Ｗの存在が投入ホッパー２に投入された塵芥Ｒが下方に向けて流れる際の抵抗を小さくすると同時に、水Ｗの流れで塵芥Ｒを搬送することができる。
【００４３】
また、該塵芥搬送装置１によれば、投入ホッパー２と排出部４とをフレキシブル管３で接続しているので、地形に応じた設置が容易に行うことができ、水供給手段５から供給された水Ｗが流れる水勾配さえ確保すれば、山肌やのり面に沿わせて配置するだけでも塵芥Ｒを排出部４まで搬送することができる。従って、通常塵芥Ｒが滑り落ちる勾配（塵芥Ｒの安息角以上の勾配）でフレキシブル管３を配置することや、フレキシブル管３の設置に高い精度が要求されることがないため、主たる構成であるフレキシブル管３の設置が容易であり、当該塵芥搬送装置１を容易且つ低コストで構築することができる。
【００４４】
また、前記水供給手段５は、水槽Ｃの水Ｗを汲み上げる水中ポンプ５０を備えているので、水槽Ｃ内の水面又はその近傍で浮遊する塵芥Ｒを吸い込むことなく水Ｗを吸い上げることができ、円滑にフレキシブル管３に水Ｗを供給することができる。
【００４５】
さらに、水供給手段５は、水中ポンプ５０で汲み上げた水Ｗを投入ホッパー２に供給できるように給水部５１を設けたので、投入ホッパー２内にも水Ｗの流れを作ることができ、投入した塵芥Ｒを円滑にフレキシブル管３に進入させることができる。
【００４６】
さらに、前記排出部４に排出口を開閉する開閉扉４１を設け、開閉扉４１に水Ｗのみを流通させる水切メッシュ４３を設けたので、開閉扉４１で排出口を閉じた状態で、水Ｗのみを排出して水切りを行うことができ、その結果、開閉扉４１を開いたときに水切りされた塵芥Ｒを排出することができる。
【００４７】
また、本実施形態に係る水力発電設備の排出装置１００は、破砕装置１０４を備えているので、塵芥Ｒをフレキシブル管３の管径に適したサイズにしてから投入でき、塵芥Ｒが投入ホッパー２やフレキシブル管３内で無造作に引っ掛かることがない。これにより、フレキシブル管３内での水Ｗの流れにのって当該塵芥Ｒを円滑に搬送することができる。
【００４８】
尚、本発明の水力発電設備の塵芥搬送装置は、上記実施形態に限定されるものではなく、本発明の要旨を逸脱しない範囲内において種々変更を加え得ることは勿論である。
【００４９】
上記実施形態において、水槽Ｃの水Ｗを汲み上げてフレキシブル管３内に給水できるように水供給手段５を構成したが、該フレキシブル管３に供給する水Ｗは、水槽Ｃから汲み上げたものに限定されるものではなく、例えば、給水源Ｄの水をフレキシブル管３に供給するように構成してもよい。ここで給水源Ｄとは、水槽Ｃに水を供給できる場所をいい、ダムや調整池、河川等は勿論のこと、これらと水槽Ｃとを接続する導水管Ｐ２等を含む概念である。
【００５０】
上記実施形態において、水槽Ｃの水を汲み上げるポンプ５０として水中ポンプを採用したが、これに限定されるものではなく、例えば、外部に設置するポンプを採用してもよい。但し、この場合においても、ポンプに接続した吸水側の配管を水中に浸漬し、水槽Ｃの下層から水を汲み上げることが好ましい。このようにしても、水中ポンプと同様に、水面及びその近傍を浮遊する塵芥Ｒを吸い込むことなく、水Ｗを汲み上げることができる。また、スクリーン１０１の下流側から水Ｗを汲み上げれば、上述の如く、水中で浮遊する塵芥Ｒまでも吸い込むのを防止することができる。
【００５１】
上記実施形態において、排出装置１００における破砕装置１０４と、塵芥搬送装置における投入ホッパー２とを独立して設置し、破砕された塵芥Ｒを人手によって投入するようにしたが、これに限定されるものではなく、例えば、破砕装置１０４の排出口と投入ホッパー２とを直接的又は間接的に接続し、人手を介在させることなく排出された塵芥Ｒを投入ホッパー２に供給できるようにしても勿論よい。
【００５２】
また、上記実施形態において、塵芥搬送装置の排出部４を作業台Ｔａ上に位置するように設置したが、これに限定されるものではなく、例えば、トラックの荷台、又は塵芥収集車の荷箱投入口に直接塵芥Ｒを排出できるように排出部４を設置するようにしてもよい。
【００５３】
さらに、上記実施形態において、排出部４に水切メッシュ４３を備えた開閉扉４１を設け、この水切メッシュ４３で水切りした状態で塵芥Ｒを排出するようにしたが、これに限定されるものではなく、塵芥Ｒを低地に搬送することを達成させるだけでよい場合には、排出部４を常時開放状態にしておいても勿論よい。なお、このように排出部４を常時開放状態にすると、そのままでは塵芥Ｒの水切りを行うことができないため、この場合においては、前記作業台Ｔａを水切り可能な構成にして、当該作業台Ｔａ上に塵芥Ｒを排出することが好ましい。
【図面の簡単な説明】
【００５４】
【図１】本発明の一実施形態に係る塵芥搬送装置を備えた水力発電設備の概略図であって、概略断面側面図を示す。
【図２】本発明の一実施形態に係る塵芥搬送装置を備えた水力発電設備の概略図であって、概略正面図を示す。
【図３】同実施形態に係る水力発電設備の水槽、排出装置、及び塵芥搬送装置の一部（投入ホッパー及びフレキシブル管の一部）の一部断面を含む概略正面断面図を示す。
【図４】同実施形態に係る塵芥搬送装置の一部及び作業台、並びに塵芥収集車の一部の概略正面図を示す。
【図５】同実施形態に係る塵芥搬送装置の動作説明図であって、（イ）は、投入ホッパーを介してフレキシブル管に水を供給した状態を示し、(ロ）は、フレキシブル管に水を供給しつつ塵芥を投入ホッパーから投入した状態を示し、（ハ）は、フレキシブル管への水の供給及び塵芥の投入を停止した状態を示し、（ニ）は、作業台上に塵芥を排出した状態を示し。
【図６】従来の水力発電設備の概略図であって、概略断面側面図を示す。
【図７】従来の水力発電設備の概略図であって、概略正面図を示す。
【図８】従来の水力発電設備の水槽、排出装置の概略正面断面図を示す。
【符号の説明】
【００５５】
１…塵芥搬送装置、２…投入ホッパー、３…フレキシブル管、４…排出部、５…水供給手段、２０…進入口、２１…投入口、４０…フレーム、４１…開閉扉、４２…扉本体、４３…水切メッシュ、５０…ポンプ（水中ポンプ）、５１…給水部、５２…配管、５３…ノズル、１００…排出装置、１０１…スクリーン、１０２…掻上装置、１０３…搬送コンベア、１０４…破砕装置、１０５…回転カッター、１０６…粒度調整スクリーン、Ｄ…給水源、Ｇ…発電機、Ｐ１…水圧鉄管（配管）、Ｐ２…導水管、Ｒ…塵芥、Ｖ…運搬車輌、Ｃ…水槽、Ｔａ…作業台、Ｗ…水
【図１】
2006183375.tif 000003
【図２】
2006183375.tif 000004
【図３】
2006183375.tif 000005
【図４】
2006183375.tif 000006
【図５】
2006183375.tif 000007
【図６】
2006183375.tif 000008
【図７】
2006183375.tif 000009
【図８】
2006183375.tif 000010